(57)【要約】      （修正有）【課題】特に延長コードとして電力の伝送を行うスピニングリール用の電力伝送中継装置を提供する。【解決手段】電力伝送中継装置は、接続コード部材１０及び転送コード部材２０を有し、該接続コード部材は、第一電源接続端子１１１と、接続線１３と、コネクタ部材１４を備え、該第一電源接続端子は、接続線及びコネクタ部材を介してバッテリ３０に電気接続され、該転送コード部材は、伝送コード２１及び第二電源接続端子２２を備え、該第二電源接続端子は、伝送コードの一端に電気接続され、着脱可能に第一電源接続端子に接続され、該第二電源接続端子及び第一電源接続端子の結合構造により優れた防水効果を提供し、海水で濡れても第二電源接続端子及び第一電源接続端子の内部の金属部品が壊れることはなく、錆の発生主も防止できる。また、接続コード部材を延長コードとして、バッテリとスピニングリール４０とを電気接続する。【選択図】図１
0003217562.tif 000002
【実用新案登録請求の範囲】
【請求項１】
少なくとも１つの第一電源接続端子を備える接続座と、
前記接続座の第一電源接続端子と電気接続すると共に、該接続座の一端に延出する接続線と、
前記接続コードにおける、接続座と反対する他端に連接するコネクタ部材を有することを特徴とする電力伝送中継装置の接続コード部材。
【請求項２】
前記第一電源接続端子の一端が接続座から突出して環状の突出部を構成し、該突出部の外周壁にネジ山が形成されることを特徴とする請求項１に記載の電力伝送中継装置の接続コード部材。
【請求項３】
それぞれが前記接続座の第一電源接続端子をカバーする、少なくとも１つの蓋部材を有することを特徴とする請求項１に記載の電力伝送中継装置の接続コード部材。
【請求項４】
前記各蓋部材が、接続座と連接する連接アームを備えることを特徴とする請求項３に記載の電力伝送中継装置の接続コード部材。
【請求項５】
前記第一電源接続端子の一端が接続座から突出して環状の突出部を構成し、
前記蓋部材の連接アームにおける、蓋部材と反対する他端に装着環部が設けられ、該装着環部が、第一電源接続端子の突出部に環装されることを特徴とする請求項４に記載の電力伝送中継装置の接続コード部材。
【請求項６】
前記第一電源接続端子の突出部の外周壁に環装溝が環状に凹設され、
前記蓋部材の装着環部が、第一電源接続端子の環装溝に環装されることを特徴とする請求項５に記載の電力伝送中継装置の接続コード部材。
【請求項７】
前記蓋部材がゴム防水カバーであることを特徴とする請求項３乃至６の何れか１項に記載の電力伝送中継装置の接続コード部材。
【請求項８】
前記コネクタ部材が、２つのコネクタ端子を含むことを特徴とする請求項１乃至６の何れかの１項に記載の電力伝送中継装置の接続コード部材。
【請求項９】
前記コネクタ部材のコネクタ端子がクリップであることを特徴とする請求項８に記載の電力伝送中継装置の接続コード部材。
【請求項１０】
前記コネクタ部材のコネクタ端子がO字形の端子であることを特徴とする請求項８に記載の電力伝送中継装置の接続コード部材。
【請求項１１】
それぞれが少なくとも１つの第一電源接続端子を備える、複数の接続座と、
前記接続座の第一電源接続端子と電気接続すると共に、該接続座の一端に延出する接続線と、
前記接続コードにおける、接続座と反対する他端に連接されるコネクタ部材と、
それぞれが隣り合う２つの接続座の第一電源接続端子を電気接続する、少なくとも１つの接続コードを有することを特徴とする電力伝送中継装置の接続コード部材。
【請求項１２】
請求項１または１１に記載の接続コード部材及び、前記接続コード部材の第一電源接続端子と電気接続する、少なくとも１つの転送コード部材を有し、
前記転送コード部材が、伝送コード及び第二電源接続端子を備え、該第二電源接続端子が、伝送コードの一端に電気接続されつつ、着脱可能に接続コード部材の第一電源接続端子に連接されることを特徴とする電力伝送中継装置。
【請求項１３】
前記第一電源接続端子の一端が、接続座から突出して環状の突出部を構成し、該突出部の外周壁にネジ山が形成され、
前記各転送コード部材が、１対の装着リングを備え、該装着リングが、回転可能に第二電源接続端子に環装され、該装着リングの内周壁にネジ山が形成され、該装着リングが、内周壁のネジ山を介して第一電源接続端子の突出部に螺合されることを特徴とする請求項１２に記載の電力伝送中継装置。
【請求項１４】
前記接続コード部材の第一電源接続端子の内周壁に、第一位置決め部が設けられ、
前記転送コード部材の第二電源接続端子の外周壁に、第二位置決め部が設けられ、
前記第二位置決め部の形状が、第一位置決め部の形状に対応することを特徴とする請求項１２または１３に記載の電力伝送中継装置。
【考案の詳細な説明】
【技術分野】
【０００１】
本考案は、特に延長コードとして用い、電力の伝送を行うスピニングリール用の電力伝送中継装置に関するものである。
【背景技術】
【０００２】
図７に示すように、既存のスピニングリール９２を使用する時は、電源コード９１を介してバッテリ９３に電気接続され、該電源コード９１にクリップ端子９１１が取り付けられ、これらの端子９１１を正極及び負極の給電端子９３１に電気接続させることにより、スピニングリール９２に電力を提供する。
【考案の概要】
【考案が解決しようとする課題】
【０００３】
しかしながら、既存のスピニングリールは、以下の欠点を有する。
１、既存のスピニングリールにおける電源コード９１は、所定の長さを有することから、バッテリ９３を釣り竿の近くに置かなければならなく、常に船縁に設置することから、海水で濡れやすいので、錆が生じる問題があった。
【０００４】
２、使用者が２本の釣り竿を同時に使用する場合は、同一のバッテリ９３を用いて電力を供給することができ、該２本の釣り竿を、それぞれの端子９１１を用いてバッテリ９３の給電端子９３１に挟んで電気接続することができるが、バッテリ９３の給電端子９３１の体積が小さく、船の揺れまたは使用者の激しい動きにより端子９１１が引っ張られて給電端子９３１から脱落する恐れがあり、さらに、既存のバッテリ９３の給電端子９３１は、２本の釣り竿しか給電できないため、多くの釣り竿を使う場合、多くのバッテリ９３を用意しなければならないので、非常に不便である。
【０００５】
３、２本の釣り竿を同時にバッテリ９３に電気接続すると、バッテリ９３のコードが絡まることから、不注意で転倒し易いという問題があった。
【０００６】
４、既存のスピニングリール９２において、電源コード９１をバッテリ９３に電気接続すると、端子が正負逆に接続することになるので、スピニングリール９２が破損する虞があった。
【課題を解決するための手段】
【０００７】
本考案に係る電力伝送中継装置の接続コード部材は、
少なくとも１つの第一電源接続端子を備える接続座と、
前記接続座の第一電源接続端子と電気接続すると共に、該接続座の一端に延出する接続線と、
前記接続コードにおける、接続座と反対する他端に連接するコネクタ部材を有するものである。
【０００８】
一方、本考案に係る他の電力伝送中継装置の接続コード部材は、
それぞれが少なくとも１つの第一電源接続端子を備える、複数の接続座と、
前記接続座の第一電源接続端子と電気接続すると共に、該接続座の一端に延出する接続線と、
前記接続コードにおける、接続座と反対する他端に連接されるコネクタ部材と、
それぞれが隣り合う２つの接続座の第一電源接続端子を電気接続する、少なくとも１つの接続コードを有してもよい。
【０００９】
また、本考案に係る電力伝送中継装置は、
上述した接続コード部材及び、前記接続コード部材の第一電源接続端子と電気接続する、少なくとも１つの転送コード部材を有し、
前記転送コード部材が、伝送コード及び第二電源接続端子を備え、該第二電源接続端子が、伝送コードの一端に電気接続されつつ、着脱可能に接続コード部材の第一電源接続端子に連接されるものである。
【考案の効果】
【００１０】
本考案における電力伝送中継装置を使用する時は、接続コード部材を延長コートとして、接続コード及びコネクタ部材を介してバッテリまたは他の電力装置に電気接続すると共に、接続座の第一電源接続端子及び転送コード部材の第二電源接続端子を介してスピニングリールに電気接続する。尚、本実施例における第二電源接続端子及び第一電源接続端子は、ソケット及びプラグであり、このソケットとプラグの結合構造によれば、防水効果に優れ、海水で濡れても第二電源接続端子及び第一電源接続端子の内部の金属部品が壊れることはなく、錆の発生主も防止できる。また、本考案に係る電力伝送中継装置は、接続コード及びコネクタ部材を有することから、バッテリを海岸または船縁から離れた場所に配置することが可能となるため、バッテリの給電端子が海水で濡れるのを防止できる。
【００１１】
本考案に係る電力伝送中継装置は、第一電源接続端子及び第二電源接続端子によりスピニングリールに電力を伝送することができることから、接続座に多くの第一電源接続端子を設置すれば、複数本の釣り竿を同時に給電することができると共に、それらの釣り竿が一本ずつ第一電源接続端子に対応して電気接続されるため、電気接続関係を確保できる。
【００１２】
本考案に係る電力伝送中継装置は、バッテリとの間に一本の電線接続コードしか有しないので、バッテリの周囲における多くの電線に絡まって不注意で転倒することはない。
【図面の簡単な説明】
【００１３】
【図１】本考案に係る電力伝送中継装置の分解斜視図である。
【図２】本考案に係る電力伝送中継装置の接続コード部材の分解斜視図である。
【図３】本考案に係る電力伝送中継装置の接続コード部材の上面図である。
【図４】本考案に係る電力伝送中継装置の接続コード部材の側面図である。
【図５】本考案に係る電力伝送中継装置の他の実施例における接続コード部材の斜視図である。
【図６】本考案に係る電力伝送中継装置の第二実施例における接続座の斜視図である。
【図７】既存のスピニングリールとバッテリとを接続する状態を示す説明図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１に示すように、本考案に係る電力伝送中継装置は、接続コード部材１０及び少なくとも１つの転送コード部材２０を有する。
【００１６】
前記接続コード部材１０の第一実施例は、接続座１１と、少なくとも１つの蓋部材１２と、接続コード１３と、コネクタ部材１４を備え、該接続座１１は、少なくとも１つの第一電源接続端子１１１を備える。尚、本実施例における第一電源接続端子１１１の数量は２つであるが、数量に制限はなく、該第一電源接続端子１１１のタイプにも制限はなく、また、一般な電気製品用のものであってもよく、特別な設計を備えるものであってもよく、電力を伝送することができれば如何なるものでもよい。本実施例の第一電源接続端子１１１は、スピニングリールの第二電源接続端子２２と連接するためのものであるが、前記接続座１１は、方形や環状などの形状を呈するものでもよく、その他如何なるタイプでもよく、第一電源接続端子１１１を構成するものであればよい。本実施例の接続座１１は、２つの環状構成であり、該各環状構造に第一電源接続端子１１１が設けられる。
【００１７】
本実施例における各第一電源接続端子１１１は、一端が接続座１１から突出して環状構造となる突出部１１２を備え、すなわち、該突出部１１２は、第一電源接続端子１１１の周囲に凸設される環状壁であり、該突出部１１２の外周壁にネジ山が形成され、該突出部１１２の外周壁の底部近傍に環装溝１１３が凹設される。
【００１８】
前記蓋部材１２は、接続座１１の第一電源接続端子１１１をカバーするものであり、本実施例における、接続座１１は、２つの第一電源接続端子１１１を有すると共に、蓋部材１２は、第一電源接続端子１１１の数量に対応して２つを有する。また、前記蓋部材１２の形状は、第一電源接続端子１１１の形状に対応するように設けられることから、該蓋部材１２が第一電源接続端子１１１及び突出部１１２にピッタリと組み合わされるので、第一電源接続端子１１１を確実にカバーすることができる。前記蓋部材１２は、ゴム防水カバーであるが、それに制限はなく、第一電源接続端子１１１をカバーして異物の進入を防止できるものであれば如何なるものでもよい。
【００１９】
本実施例における蓋部材１２に連接アーム１２１が延設され、該連接アーム１２１の他端に装着環部１２２が設けられ、該装着環部１２２は、第一電源接続端子１１１の突出部１１２の環装溝１１３に環装される。
【００２０】
また、前記装着環部１２２の内径は、環装溝１１３の外径と等しく、該装着環部１２２は、可撓性を備える材質からなることから、装着環部１２２を環装溝１１３に環装する時は、まず装着環部１２２を大きく広げて、装着環部１２２の内径を突出部１１２の外径よりも大きくしてから突出部１１２の上端からゆっくりと環装溝１１３に環装すればよい。
【００２１】
前記装着環部１２２を環装溝１１３に取り付けると、装着環部１２２が元の内径に復位して環装溝１１３内に締め付けられる。このように、前記環装溝１１３の近傍にある突出部１１２の外径は、装着環部１２２の内径よりも大きいことから、装着環部１２２を環装溝１１３内に締め付けると、環装溝１１３内でずれたり、脱落したりすることはないので、強固な固定効果を有する。尚、この取付方法に制限はなく、他の取付方法としては、例えば、第一電源接続端子１１１の突出部１１２に環装溝１１３を設置ぜずに、装着環部１２２を突出部１１２に環装して強固に締め付けてもよい。
【００２２】
前記第一電源接続端子１１１を使用する時は、蓋部材１２を第一電源接続端子１１１から取り外して、該第一電源接続端子１１１を露出させれば使用することができる。また、前記蓋部材１２は、連接アーム１２１及び装着環部１２２を介して第一電源接続端子１１１に締め付けられていることから、第一電源接続端子１１１から取り外しても脱落することはないので、操作上非常に便利であると共に、蓋部材１２の紛失問題も防止できる。
【００２３】
他の実施例においては、連接アーム１２１が、接続座１１と蓋部材１２とを連接するための構造、例えば、ロップや、可撓性を備える線材などのものであり、接続座１１に一体に連接されてもよく、接続座１１及び蓋部材１２に一体成型されてもよく、特に制限はない。
図１乃至図５に示すように、前記接続コード１３における一端は、第一電源接続端子１１１と電気接続するように連接され、他端は接続座１１から延出する。
【００２４】
図１乃至図５に示すように、前記コネクタ部材１４は、接続コード１３における、接続座１１と反対する一端に電気接続され、この構成によれば、接続座１１の第一電源接続端子１１１は、接続コード１３及びコネクタ部材１４を介して電力装置と電気接続して第一電源接続端子１１１に電力を伝送することができる。尚、前記電力装置は、バッテリであってもよく、電力を供給できる装置であれば如何なるものであってもよい。
【００２５】
本実施例における、電力装置は、バッテリ３０であり、コネクタ部材１４は、正極及び負極を備える２本式の導線であり、該各導線の末端にコネクタ端子１４１が取り付けられる。電力装置を使用する場合は、使用者が接続コード１３にあるコネクタ部材１４をバッテリ３０の正極及び負極の給電端子３１に取り付けて電気接続させ、電力を伝送させればよい。
【００２６】
本実施例におけるコネクタ部材１４のコネクタ端子１４１は、クリップであるが、特に制限はない。また、図５に示すように、前記コネクタ部材１４Ａの各コネクタ端子１４１Ａは、O字形の端子であってもよく、バッテリ３０A専用の特殊な接続端子１４２Ａであってもよく、それらの端子を介してバッテリ３０Ａの両極の給電端子３１Ａに接続される。尚、本考案におけるコネクタ部材１４の数量は２つであるが、それぞれが電力装置への接続により電力を伝送できるものであれば、その数量に制限はない。
【００２７】
図６に示すように、本考案における接続コード部材１０の第二実施例は、殆ど第一実施例と同一であるが、接続座１１Ｂの数量が複数ある点において異なる。尚、本実施例においては、隣り合う２つの接続座１１Ｂの間に、延長コード５０Bが取り付けられ、該延長コード５０Ｂは、隣り合う２つの接続座１１Ｂの第一電源接続端子１１１Ｂを電気接続することから、接続座１１Ｂの数量を増やすことができる。
【００２８】
前記転送コード部材２０は、伝送コード２１及び第二電源接続端子２２を備え、該第二電源接続端子２２は、伝送コード２１の一端に取り付けられ、着脱可能に接続コード部材１０の第一電源接続端子１１１に連接される。尚、本実施例における第一電源接続端子１１１はプラグであり、第二電源接続端子２２はソケットであってもよく、第一電源接続端子１１１はソケットであり、第二電源接続端子２２はプラグであってもよいが、特に制限はなく、電気接続により電力を伝送することができればよい。また、前記伝送コード２１の他端は、スピニングリール４０のコネクタ２３に連接され、該コネクタ２３は、スピニングリール４０に対応するだけでなく、他の電子製品に電気接続するためのコネクタであってもよい。
【００２９】
図１及び図５に示すように、本実施例における転送コード部材２０はさらに、１対の装着リング２４を備え、該１対の装着リング２４は、回転可能に第二電源接続端子２２に環設され、該各装着リング２４の内周壁にネジ山が形成される。使用する場合は、まず転送コード部材２０の第二電源接続端子２２と第一電源接続端子１１１とを接続してから装着リング２４を回転させることにより、装着リング２４のネジ山と突出部１１２のネジ山とを螺合させると共に、該装着リング２４を、第一電源接続端子１１１及び第二電源接続端子２２をカバーするように環装させる。この構成によれば、外部からの異物の進入や、錆びの発生、ショートなどの問題を防止することができ、更に不注意による脱落も防止できることから、安定して給電することができる。その上、前記第一電源接続端子１１１と第二電源接続端子２２との連接方法は、上述したネジ山の螺合手段だけではなく、装着リング２４以外の、他の結合手段を用いてもよい。
【００３０】
図１及び図５に示すように、本実施例における第二電源接続端子２２はさらに第二位置決め部２２１を備え、該第二位置決め部２２１は、第二電源接続端子２２の外周壁に形成され、前記第一電源接続端子１１１はさらに、第一位置決め部１１４を備え、該第一位置決め部１１４は、第一電源接続端子１１１の内周壁に形成され、該第二位置決め部２２１の形状は、第一位置決め部１１４の形状に対応することから、第二電源接続端子２２と第一電源接続端子１１１とを組み合わせる場合は、第二位置決め部２２１が第一位置決め部１１４に対応するように、第二電源接続端子２２を第一電源接続端子１１１に挿設させる。尚、第二電源接続端子２２を逆方向に挿し入れれば、該第二電源接続端子２２が第一位置決め部１１４の突出部分に干渉することから、第二電源接続端子２２を第一電源接続端子１１１に挿入することができなくなる。このように、この構成によれば、第二電源接続端子２２を正しく第一電源接続端子１１１に挿設できることから、正負極を逆にすることによりスピニングリール４０を壊すことはない。尚、本実施例における第二位置決め部２２１は凹部構造であり、第一位置決め部１１４は凸部構造であってもよく、また、第二位置決め部２２１は凸部構造であり、第一位置決め部１１４は凹部構造であってもよく、それらに特に制限はない。
【００３１】
本考案における電力伝送中継装置を使用する時は、接続コード部材１０を、延長コードとして、接続コード１３及びコネクタ部材１４を介してバッテリ３０または他の電力装置に電気接続させると共に、接続座１１の第一電源接続端子１１１及び転送コード部材２０の第二電源接続端子２２を介してスピニングリール４０に電気接続させる。尚、本実施例における第二電源接続端子２２及び第一電源接続端子１１１は、ソケット及びプラグであり、このソケットとプラグの結合構造は、防水効果に優れ、海水で濡れても第二電源接続端子２２及び第一電源接続端子１１１の内部の金属部品が破損することはなく、錆の発生も防止できる。また、第一電源接続端子１１１を使用しない場合は、蓋部材１２を閉じれば内部においての錆の発生を防止できる。
【００３２】
本考案に係る電力伝送中継装置は、接続コード１３及びコネクタ部材１４を有することから、バッテリ３０を海岸または船縁から離れた場所に設置することも可能となるので、バッテリ３０の給電端子３１が海水で濡れることもない。また、本考案に係る電力伝送中継装置は、第一電源接続端子１１１及び第二電源接続端子２２によりスピニングリール４０に電力を供給することから、第二実施例のように多くの接続座１１を設置して、その接続座１１に多くの第一電源接続端子１１１を設置してもよいので、複数本の釣り竿に対して同時に給電することができる。このように、それらの釣り竿が一本ずつ第一電源接続端子１１１に対応して電気接続されるため、電気接続関係を確保できる。
【００３３】
本考案に係る電力伝送中継装置においては、全ての接続座１１を使用者側に設置できるので、使用上非常に便利であり、また、本考案に係る電力伝送中継装置は、接続座１１を用いてバッテリ３０との間に一本の電線接続コード１３しかないので、電線が絡まって不注意で転倒することもない。
【符号の説明】
【００３４】
１０              接続コード部材
１１、１１Ｂ      接続座
１１１、１１１Ｂ  第一電源接続端子
１１２            突出部
１１３            環装溝
１１４            第一位置決め部
１２              蓋部材
１２１            連接アーム
１２２            装着環部
１３              接続コード
１４、１４Ａ      コネクタ部材
１４１、１４１Ａ  コネクタ端子
１４２Ａ          接続端子
２０              転送コード部材
２１              伝送コード
２２              第二電源接続端子
２２１            第二位置決め部
２３              コネクタ
２４              装着リング
３０、３０Ａ      バッテリ
３１、３１Ａ      給電端子
４０              スピニングリール
５０Ｂ            延長コード
【図１】
0003217562.tif 000003
【図２】
0003217562.tif 000004
【図３】
0003217562.tif 000005
【図４】
0003217562.tif 000006
【図５】
0003217562.tif 000007
【図６】
0003217562.tif 000008
【図７】
0003217562.tif 000009